(57)【特許請求の範囲】
【請求項１】
物体側から像側へ順に、正の屈折力の第１レンズ群、負の屈折力の第２レンズ群、正の屈折力の第３レンズ群、負の屈折力の第４レンズ群、正の屈折力の第５レンズ群より構成され、広角端に比べて望遠端において、前記第１レンズ群が像面に対して物体側へ移動し、前記第２レンズ群が像面に対して像側へ移動し、前記第３レンズ群が像面に対して物体側へ移動するように、ズーミングに際して各レンズ群が移動するズームレンズにおいて、
広角端から望遠端へのズーミングにおける前記第１レンズ群の像面に対する移動量をＭ１、広角端から望遠端へのズーミングにおける前記第２レンズ群の像面に対する移動量をＭ２、広角端における全系の焦点距離をｆｗ、望遠端における全系の焦点距離をｆｔ、前記第１レンズ群の焦点距離をｆ１、前記第２レンズ群の焦点距離をｆ２とするとき
１．００＜｜Ｍ２／Ｍ１｜＜４．００
（｜（ｆ２×ｆｗ）／（ｆ１×ｆｔ）｜）１／２＜０．１１０
なる条件式を満足することを特徴とするズームレンズ。
【請求項２】
前記第２レンズ群の広角端における横倍率をβ２Ｗ、前記第２レンズ群の望遠端における横倍率をβ２Ｔ、前記第３レンズ群の広角端における横倍率をβ３Ｗ、前記第３レンズ群の望遠端における横倍率をβ３Ｔとするとき、
３．００＜（β２Ｔ／β２Ｗ）／（β３Ｔ／β３Ｗ）＜１２．００
なる条件を満足することを特徴とする請求項１に記載のズームレンズ。
【請求項３】
１．００＜｜ｆ２／ｆｗ｜＜３．００
なる条件を満足することを特徴とする請求項１又は２に記載のズームレンズ。
【請求項４】
前記第３レンズ群の焦点距離をｆ３とするとき、
０．０５＜ｆ３／ｆｔ＜０．３０
なる条件を満足することを特徴とする請求項１乃至３のいずれか１項に記載のズームレンズ。
【請求項５】
前記第１レンズ群は、物体側から像側へ順に、像側の面が凹でメニスカス形状の負レンズ、物体側の面が凸形状の３つの正レンズより構成され、前記３つの正レンズの材料の平均アッベ数をν１ｐとするとき、
７０＜ν１ｐ
なる条件を満足することを特徴とする請求項１乃至４のいずれか１項に記載のズームレンズ。
【請求項６】
前記第２レンズ群は、物体側から像側へ順に、像側の面が凹形状の負レンズ、物体側の面が凹でメニスカス形状の正レンズ、両凹形状の負レンズ、正レンズから構成され、これらの各レンズのうち、少なくとも１つの面は非球面形状であることを特徴とする請求項１乃至５のいずれか１項に記載のズームレンズ。
【請求項７】
前記第３レンズ群の焦点距離をｆ３、前記第４レンズ群の焦点距離をｆ４、前記第５レンズ群の焦点距離をｆ５とするとき、
１．００＜｜ｆ４／ｆ３｜＜１０．００
０．１０＜ｆ５／ｆｔ＜０．７０
なる条件を満足することを特徴とする請求項１乃至６のいずれか１項に記載のズームレンズ。
【請求項８】
物体側から像側へ順に、正の屈折力の第１レンズ群、負の屈折力の第２レンズ群、正の屈折力の第３レンズ群、正の屈折力の第４レンズ群、正の屈折力の第５レンズ群より構成され、広角端に比べて望遠端において、前記第１レンズ群が像面に対して物体側へ移動し、前記第２レンズ群が像面に対して像側へ移動し、前記第３レンズ群が像面に対して物体側へ移動するように、ズーミングに際して各レンズ群が移動するズームレンズにおいて、
広角端から望遠端へのズーミングにおける前記第１レンズ群の像面に対する移動量をＭ１、広角端から望遠端へのズーミングにおける前記第２レンズ群の像面に対する移動量をＭ２、広角端における全系の焦点距離をｆｗ、望遠端における全系の焦点距離をｆｔ、前記第１レンズ群の焦点距離をｆ１、前記第２レンズ群の焦点距離をｆ２とするとき
１．００＜｜Ｍ２／Ｍ１｜＜４．００
（｜（ｆ２×ｆｗ）／（ｆ１×ｆｔ）｜）１／２＜０．１１０
なる条件式を満足することを特徴とするズームレンズ。
【請求項９】
物体側から像側へ順に、正の屈折力の第１レンズ群、負の屈折力の第２レンズ群、正の屈折力の第３レンズ群、１以上のレンズ群を含む後続レンズ群を有し、広角端に比べて望遠端において、前記第１レンズ群が像面に対して物体側へ移動し、前記第２レンズ群が像面に対して像側へ移動し、前記第３レンズ群が像面に対して物体側へ移動してズーミングを行うズームレンズにおいて、前記第１レンズ群は、物体側から像側へ順に、像側の面が凹でメニスカス形状の負レンズ、物体側の面が凸形状の３つの正レンズより構成され、
広角端から望遠端へのズーミングにおける前記第１レンズ群の像面に対する移動量をＭ１、広角端から望遠端へのズーミングにおける前記第２レンズ群の像面に対する移動量をＭ２、広角端における全系の焦点距離をｆｗ、望遠端における全系の焦点距離をｆｔ、前記第１レンズ群の焦点距離をｆ１、前記第２レンズ群の焦点距離をｆ２、前記３つの正レンズの材料の平均アッベ数をν１ｐとするとき、
１．００＜｜Ｍ２／Ｍ１｜＜４．００
（｜（ｆ２×ｆｗ）／（ｆ１×ｆｔ）｜）１／２＜０．１１０
７０＜ν１ｐ
なる条件式を満足することを特徴とするズームレンズ。
【請求項１０】
物体側から像側へ順に、正の屈折力の第１レンズ群、負の屈折力の第２レンズ群、正の屈折力の第３レンズ群、１以上のレンズ群を含む後続レンズ群を有し、広角端に比べて望遠端において、前記第１レンズ群が像面に対して物体側へ移動し、前記第２レンズ群が像面に対して像側へ移動し、前記第３レンズ群が像面に対して物体側へ移動してズーミングを行うズームレンズにおいて、前記第２レンズ群は、物体側から像側へ順に、像側の面が凹形状の負レンズ、物体側の面が凹でメニスカス形状の正レンズ、両凹形状の負レンズ、正レンズから構成され、これらの各レンズのうち、少なくとも１つの面は非球面形状であり、
広角端から望遠端へのズーミングにおける前記第１レンズ群の像面に対する移動量をＭ１、広角端から望遠端へのズーミングにおける前記第２レンズ群の像面に対する移動量をＭ２、広角端における全系の焦点距離をｆｗ、望遠端における全系の焦点距離をｆｔ、前記第１レンズ群の焦点距離をｆ１、前記第２レンズ群の焦点距離をｆ２とするとき、
１．００＜｜Ｍ２／Ｍ１｜＜４．００
（｜（ｆ２×ｆｗ）／（ｆ１×ｆｔ）｜）１／２＜０．１１０
なる条件式を満足することを特徴とするズームレンズ。
【請求項１１】
光電変換素子に像を形成することを特徴とする請求項１乃至１０のいずれか１項に記載のズームレンズ。
【請求項１２】
請求項１乃至１１のいずれか１項に記載のズームレンズと、該ズームレンズによって形成される像を受光する光電変換素子とを備えることを特徴とする撮像装置。
【発明の詳細な説明】
【技術分野】
【０００１】
本発明はズームレンズ及びそれを有する撮像装置に関し、例えばビデオカメラや電子スチルカメラ、放送用カメラ、監視カメラ等のように固体撮像素子を用いた撮像装置、或いは銀塩フィルムを用いたカメラ等の撮像装置に好適なものである。
【背景技術】
【０００２】
近年、固体撮像素子を用いたビデオカメラ、デジタルスチルカメラ、放送用カメラ、監視カメラ、そして銀塩フィルムを用いたカメラ等の撮像装置は高機能化され、又装置全体が小型化されている。そしてそれに用いる撮影光学系としてコンパクト（小型）で、広画角、高ズーム比（高変倍比）で、しかも高解像力のズームレンズであることが要求されている。これらの要求に応えるズームレンズとして、物体側より像側へ順に、正、負、正の屈折力を有する第１、第２、第３レンズ群と、それに続く１つ以上のレンズ群を含む後群を有するポジティブリード型のズームレンズが知られている。ポジティブリード型のズームレンズとして、物体側より像側へ順に、正、負、正、正の屈折力の４つのレンズ群より成るズームレンズが知られている（特許文献１）。また物体側より像側へ順に正、負、正、正、正の屈折力の５つのレンズ群より成るズームレンズが知られている（特許文献２）。また物体側より像側へ順に正、負、正、負、正の屈折力の５つのレンズ群より成るズームレンズが知られている（特許文献３）。
【先行技術文献】
【特許文献】
【０００３】
【特許文献１】特開２００６−１７１６５５号公報
【特許文献２】特開２００７−２９２９９４号公報
【特許文献３】特開２００３−２５５２２８号公報
【発明の概要】
【発明が解決しようとする課題】
【０００４】
一般にズームレンズを所定のズーム比を維持しつつ、全系を小型化するためには、ズームレンズを構成する各レンズ群の屈折力（光学的パワー＝焦点距離の逆数）を強めれば良い。しかしながら、このようにしたズームレンズは、ズーミングの際の収差変動が大きくなり、また望遠端における色収差などの諸収差の補正が困難になってくる。前述した４群ズームレンズや５群ズームレンズにおいて、高ズーム比とレンズ系全体の小型化を図りつつ、良好な光学性能を得るには各レンズ群の屈折力、そして各レンズ群のズーミングに伴う移動条件等を適切に設定することが重要となる。特に第１、第２レンズ群の屈折力やズーミングに際しての第１、第２レンズ群の移動条件等を適切に設定することが重要になってくる。この他、第２、第３レンズ群の広角端と望遠端における横倍率等を適切に設定することが重要になってくる。これらの構成を適切に設定しないと、全系の小型化を図りつつ、広画角かつ高ズーム比で高い光学性能のズームレンズを得るのが難しくなってくる。
【０００５】
本発明は、光学系全体が小型で、広画角かつ高ズーム比で、しかも全ズーム範囲にわたり高い光学性能が得られるズームレンズ及びそれを有する撮像装置の提供を目的とする。
【課題を解決するための手段】
【０００６】
本発明のズームレンズは、物体側から像側へ順に、正の屈折力の第１レンズ群、負の屈折力の第２レンズ群、正の屈折力の第３レンズ群、負の屈折力の第４レンズ群、正の屈折力の第５レンズ群より構成され、広角端に比べて望遠端において、前記第１レンズ群が像面に対して物体側へ移動し、前記第２レンズ群が像面に対して像側へ移動し、前記第３レンズ群が像面に対して物体側へ移動するように、ズーミングに際して各レンズ群が移動するズームレンズにおいて、
広角端から望遠端へのズーミングにおける前記第１レンズ群の像面に対する移動量をＭ１、広角端から望遠端へのズーミングにおける前記第２レンズ群の像面に対する移動量をＭ２、広角端における全系の焦点距離をｆｗ、望遠端における全系の焦点距離をｆｔ、前記第１レンズ群の焦点距離をｆ１、前記第２レンズ群の焦点距離をｆ２とするとき
１．００＜｜Ｍ２／Ｍ１｜＜４．００
（｜（ｆ２×ｆｗ）／（ｆ１×ｆｔ）｜）１／２＜０．１１０
なる条件式を満足することを特徴としている。
この他、本発明のズームレンズは、物体側から像側へ順に、正の屈折力の第１レンズ群、負の屈折力の第２レンズ群、正の屈折力の第３レンズ群、正の屈折力の第４レンズ群、正の屈折力の第５レンズ群より構成され、広角端に比べて望遠端において、前記第１レンズ群が像面に対して物体側へ移動し、前記第２レンズ群が像面に対して像側へ移動し、前記第３レンズ群が像面に対して物体側へ移動するように、ズーミングに際して各レンズ群が移動するズームレンズにおいて、
広角端から望遠端へのズーミングにおける前記第１レンズ群の像面に対する移動量をＭ１、広角端から望遠端へのズーミングにおける前記第２レンズ群の像面に対する移動量をＭ２、広角端における全系の焦点距離をｆｗ、望遠端における全系の焦点距離をｆｔ、前記第１レンズ群の焦点距離をｆ１、前記第２レンズ群の焦点距離をｆ２とするとき
１．００＜｜Ｍ２／Ｍ１｜＜４．００
（｜（ｆ２×ｆｗ）／（ｆ１×ｆｔ）｜）１／２＜０．１１０
なる条件式を満足することを特徴としている。
この他、本発明のズームレンズは、物体側から像側へ順に、正の屈折力の第１レンズ群、負の屈折力の第２レンズ群、正の屈折力の第３レンズ群、１以上のレンズ群を含む後続レンズ群を有し、広角端に比べて望遠端において、前記第１レンズ群が像面に対して物体側へ移動し、前記第２レンズ群が像面に対して像側へ移動し、前記第３レンズ群が像面に対して物体側へ移動してズーミングを行うズームレンズにおいて、前記第１レンズ群は、物体側から像側へ順に、像側の面が凹でメニスカス形状の負レンズ、物体側の面が凸形状の３つの正レンズより構成され、
広角端から望遠端へのズーミングにおける前記第１レンズ群の像面に対する移動量をＭ１、広角端から望遠端へのズーミングにおける前記第２レンズ群の像面に対する移動量をＭ２、広角端における全系の焦点距離をｆｗ、望遠端における全系の焦点距離をｆｔ、前記第１レンズ群の焦点距離をｆ１、前記第２レンズ群の焦点距離をｆ２、前記３つの正レンズの材料の平均アッベ数をν１ｐとするとき、
１．００＜｜Ｍ２／Ｍ１｜＜４．００
（｜（ｆ２×ｆｗ）／（ｆ１×ｆｔ）｜）１／２＜０．１１０
７０＜ν１ｐ
なる条件式を満足することを特徴としている。
この他、本発明のズームレンズは、物体側から像側へ順に、正の屈折力の第１レンズ群、負の屈折力の第２レンズ群、正の屈折力の第３レンズ群、１以上のレンズ群を含む後続レンズ群を有し、広角端に比べて望遠端において、前記第１レンズ群が像面に対して物体側へ移動し、前記第２レンズ群が像面に対して像側へ移動し、前記第３レンズ群が像面に対して物体側へ移動してズーミングを行うズームレンズにおいて、前記第２レンズ群は、物体側から像側へ順に、像側の面が凹形状の負レンズ、物体側の面が凹でメニスカス形状の正レンズ、両凹形状の負レンズ、正レンズから構成され、これらの各レンズのうち、少なくとも１つの面は非球面形状であり、
広角端から望遠端へのズーミングにおける前記第１レンズ群の像面に対する移動量をＭ１、広角端から望遠端へのズーミングにおける前記第２レンズ群の像面に対する移動量をＭ２、広角端における全系の焦点距離をｆｗ、望遠端における全系の焦点距離をｆｔ、前記第１レンズ群の焦点距離をｆ１、前記第２レンズ群の焦点距離をｆ２とするとき、
１．００＜｜Ｍ２／Ｍ１｜＜４．００
（｜（ｆ２×ｆｗ）／（ｆ１×ｆｔ）｜）１／２＜０．１１０
なる条件式を満足することを特徴としている。
【発明の効果】
【０００７】
本発明によれば、光学系全体が小型で、広画角かつ高ズーム比で、しかも全ズーム範囲にわたり高い光学性能が得られるズームレンズが得られる。
【図面の簡単な説明】
【０００８】
【図１】本発明の実施例１の広角端におけるレンズ断面図
【図２】（Ａ）、（Ｂ）、（Ｃ）本発明の実施例１に対応する数値実施例１の広角端、中間のズーム位置、望遠端の収差図
【図３】本発明の実施例２の広角端におけるレンズ断面図
【図４】（Ａ）、（Ｂ）、（Ｃ）本発明の実施例２に対応する数値実施例２の広角端、中間のズーム位置、望遠端の収差図
【図５】本発明の実施例３の広角端におけるレンズ断面図
【図６】（Ａ）、（Ｂ）、（Ｃ）本発明の実施例３に対応する数値実施例３の広角端、中間のズーム位置、望遠端の収差図
【図７】本発明の実施例４の広角端におけるレンズ断面図
【図８】（Ａ）、（Ｂ）、（Ｃ）本発明の実施例４に対応する数値実施例４の広角端、中間のズーム位置、望遠端の収差図
【図９】本発明の実施例５の広角端におけるレンズ断面図
【図１０】（Ａ）、（Ｂ）、（Ｃ）本発明の実施例５に対応する数値実施例５の広角端、中間のズーム位置、望遠端の収差図
【図１１】本発明の撮像装置の要部概略図
【発明を実施するための形態】
【０００９】
本発明のズームレンズは正の屈折力の第１レンズ群がズーミングの際に移動するポジティブリード型のズームレンズにおいて、さらなる広画角、高ズーム比化を達成しようとした場合に望遠端においてレンズ全長が増大するという課題を解決することにある。またその課題の発生を最小限にすることにある。前記ズームタイプのズームレンズにおいて広画角、高ズーム比化を図る際にレンズ全長が増大する主たる原因となるのは、第１、第２レンズ群の移動量比のバランスである。本発明は前玉有効径と望遠端におけるレンズ全長を最も小型化することができる第１、第２レンズ群のズーミングの際の移動量比を適切に設定している。さらに全系の小型化と高い光学性能を得るために、第１、第２レンズ群の屈折力の関係が重要であることを見出し、特に第１レンズ群に対する第２レンズ群の屈折力を比較的強めることが効果的であることを見出した。そしてそれらを適切に設定している。以下、本発明のズームレンズ及びそれを有する撮像装置について説明する。本発明のズームレンズは、物体側より像側へ順に、正の屈折力の第１レンズ群、負の屈折力の第２レンズ群、正の屈折力の第３レンズ群、１つ以上のレンズ群を含む後群を有している。そして、撮像面（像面）に対して広角端に比べて望遠端において第１レンズ群が物体側、第２レンズ群が像側、該第３レンズ群が物体側へ移動してズーミングを行う。
【００１０】
図１は本発明の実施例１のズームレンズの広角端（短焦点距離端）におけるレンズ断面図である。図２（Ａ）、（Ｂ）、（Ｃ）はそれぞれ実施例１のズームレンズの広角端、中間のズーム位置、望遠端（長焦点距離端）における収差図である。図３は本発明の実施例２のズームレンズの広角端におけるレンズ断面図である。図４（Ａ）、（Ｂ）、（Ｃ）はそれぞれ実施例２のズームレンズの広角端、中間のズーム位置、望遠端における収差図である。図５は本発明の実施例３のズームレンズの広角端におけるレンズ断面図である。図６（Ａ）、（Ｂ）、（Ｃ）はそれぞれ実施例３のズームレンズの広角端、中間のズーム位置、望遠端における収差図である。図７は本発明の実施例４のズームレンズの広角端におけるレンズ断面図である。図８（Ａ）、（Ｂ）、（Ｃ）はそれぞれ実施例４のズームレンズの広角端、中間のズーム位置、望遠端における収差図である。
【００１１】
図９は本発明の実施例５のズームレンズの広角端におけるレンズ断面図である。図１０（Ａ）、（Ｂ）、（Ｃ）はそれぞれ実施例５のズームレンズの広角端、中間のズーム位置、望遠端における収差図である。図１１は本発明のズームレンズを備えるカメラ（撮像装置）の要部概略図である、各実施例のズームレンズはビデオカメラやデジタルカメラそして銀塩フィルムカメラ等の撮像装置に用いられる撮影レンズ系である。レンズ断面図において、左方が被写体側（物体側）（前方）で、右方が像側（後方）である。レンズ断面図において、ｉは物体側からのレンズ群の順番を示し、Ｌｉは第ｉレンズ群である。Ｌｒは１以上のレンズ群を含む後群（後続レンズ群）である。ＳＰは開口絞りであり、第２レンズ群Ｌ２と第３レンズ群Ｌ３との間に配置されている。Ｇは光学フィルター、フェースプレート、ローパスフィルター、赤外カットフィルターなどに相当する光学ブロックである。
【００１２】
ＩＰは像面である。像面ＩＰは、ビデオカメラやデジタルカメラの撮影光学系としてズームレンズを使用する際には、ＣＣＤセンサやＣＭＯＳセンサなどの固体撮像素子（光電変換素子）の撮像面に相当する。銀塩フィルムカメラの撮影光学系としてズームレンズを使用する際には、フィルム面に相当する。矢印は広角端から望遠端へのズーミングに際して、各レンズ群の移動軌跡又はフォーカスに際しての移動方向を示している。収差図において、ｄ、ｇは各々ｄ線及びｇ線、ΔＭ、ΔＳはメリディオナル像面、サッジタル像面である。倍率色収差はｇ線によって表している。ωは半画角、ＦｎｏはＦナンバーである。尚、以下の各実施例において広角端と望遠端は変倍用のレンズ群が機構上、光軸上を移動可能な範囲の両端に位置したときのズーム位置をいう。
【００１３】
図１の実施例１のレンズ断面図においてＬ１は正の屈折力の第１レンズ群、Ｌ２は負の屈折力の第２レンズ群、Ｌ３は正の屈折力の第３レンズ群である。後群Ｌｒは正の屈折力の第４レンズ群Ｌ４より成っている。実施例１はポジティブリード型の４群ズームレンズである。図３、図５、図７の実施例２〜４のレンズ断面図において、Ｌ１は正の屈折力の第１レンズ群、Ｌ２は負の屈折力の第２レンズ群、Ｌ３は正の屈折力の第３レンズ群である。後群Ｌｒは負の屈折力の第４レンズ群Ｌ４、正の屈折力の第５レンズ群Ｌ５より成っている。実施例２〜４はポジティブリード型の５群ズームレンズである。図９の実施例５のレンズ断面図においてＬ１は正の屈折力の第１レンズ群、Ｌ２は負の屈折力の第２レンズ群、Ｌ３は正の屈折力の第３レンズ群である。後群Ｌｒは正の屈折力の第４レンズ群Ｌ４、正の屈折力の第５レンズ群Ｌ５より成っている。実施例５はポジティブリード型の５群ズームレンズである。ただし、各実施例において、後続レンズ群Ｌｒを構成するレンズ群の数は任意であり、最低１つのレンズ群を有していれば良い。
【００１４】
図１の実施例１では、広角端から望遠端へのズーミングに際して矢印のように第１レンズ群Ｌ１は像側へ凸状の軌跡を描いて移動している。第２レンズ群Ｌ２は像側へ移動している。第３レンズ群Ｌ３は物体側へ移動している。第４レンズ群Ｌ４は物体側へ凸状の軌跡を描いて移動している。開口絞りＳＰは他のレンズ群と独立に物体側に凸状の軌跡を描いて移動している。また、第４レンズ群Ｌ４を光軸上移動させてフォーカシングを行うリヤーフォーカス式を採用している。望遠端において無限遠物体から近距離物体へフォーカスを行う場合にはレンズ断面図の矢印４ｃに示すように第４レンズ群Ｌ４を前方に繰り出すことによって行っている。第４レンズ群Ｌ４に関する実線の曲線４ａと点線の曲線４ｂは各々無限遠物体と近距離物体にフォーカスしているときの広角端から望遠端へのズーミングに伴う際の像面変動を補正するための移動軌跡を示している。
【００１５】
図３、図５、図７、図９の実施例２〜５では広角端から望遠端へのズーミングに際して矢印のように第１レンズ群Ｌ１は像側へ凸状の軌跡を描いて移動している。第２レンズ群Ｌ２は像側へ、移動している。第３レンズ群Ｌ３は物体側へ移動している。第４レンズ群Ｌ４は像側へ凸状の軌跡を描いて移動している。第５レンズ群は物体側へ凸状の軌跡を描いて移動している。開口絞りＳＰは他のレンズ群と独立に物体側に凸状の軌跡を描いて移動している。また、第５レンズ群Ｌ５を光軸上移動させてフォーカシングを行うリヤーフォーカス式を採用している。望遠端において無限遠物体から近距離物体へフォーカスを行う場合には各レンズ断面図の矢印５ｃに示すように第５レンズ群Ｌ５を前方に繰り出すことによって行っている。第５レンズ群Ｌ５に関する実線の曲線５ａと点線の曲線５ｂは各々無限遠物体と近距離物体にフォーカスしているときの広角端から望遠端へのズーミングに伴う際の像面変動を補正するための移動軌跡を示している。
【００１６】
各実施例において、広角端から望遠端へのズーミングにおける第１レンズ群Ｌ１、第２レンズ群Ｌ２の像面に対する移動量を各々Ｍ１、Ｍ２とする。広角端と望遠端における全系の焦点距離を各々ｆｗ、ｆｔとする。第１レンズ群Ｌ１、第２レンズ群Ｌ２の焦点距離を各々ｆ１、ｆ２とする。このとき
１．００＜｜Ｍ２／Ｍ１｜＜４．００  ・・・（１）
（｜（ｆ２×ｆｗ）／（ｆ１×ｆｔ）｜）１／２＜０．１１０    ・・・（２）
なる条件式を満足している。ここで移動量Ｍ１，Ｍ２は広角端に比べ望遠端での光軸方向の像面に対する各レンズ群の変位量（位置の差）であり、符号は物体側を負、像側を正とする。
【００１７】
条件式（１）は第１、第２レンズ群Ｌ１，Ｌ２のズーミングに伴う移動量を適切にし、広画角・高ズーム比化した際に前玉有効径を小型化にし、カメラ全体のコンパクト化を図るための条件式である。条件式（２）は第１レンズ群Ｌ１と第２レンズ群Ｌ２の屈折力の比に関し、像面彎曲と色収差の発生を少なくして広画角化、高ズーム比化を容易に達成するためのものである。条件式（１）、（２）を満たすことで、広画角化、高ズーム比化されたズームレンズにおいて高い光学性能を有しながら、望遠端においてレンズ全長（第１レンズ面から像面までの長さ）を短縮させることが容易になる。条件式（１）の上限を超えると、広画角化時にレンズ全長を短縮させようとすると第１レンズ群Ｌ１、第２レンズ群Ｌ２の屈折力が強くなりすぎてしまい色収差や像面彎曲のズーミングに伴う変動の補正が困難となる。一方下限を超えると、広画角化、高ズーム比化されたズームレンズにおいて、第２レンズ群Ｌ２の屈折力に対して第１レンズ群Ｌ１の屈折力が弱くなりすぎるため望遠端においてレンズ全長が増大してしまう。
【００１８】
一般に広角端の画角(撮影画角)が広いズームレンズではレンズ系全体を小さくしようとすると第１レンズ群Ｌ１の焦点距離ｆ１が長くなりがちとなる。また第２レンズ群Ｌ２の焦点距離ｆ２の絶対値は小さくなりがちとなる。条件式（２）はこの点を考慮して広角端における焦点距離ｆｗと望遠端における焦点距離ｆｔに対して第１レンズ群Ｌ１と第２レンズ群Ｌ２の焦点距離比を適切に設定したものである。条件式（２）の上限を超えると、第２レンズ群Ｌ２の焦点距離ｆ２の絶対値が大きくなりすぎてしまい所望のズーム比を得る為の第１、第２レンズ群Ｌ１、Ｌ２の移動量が増大してしまい望遠端においてレンズ全長が長くなりすぎる。または、第１レンズ群Ｌ１の焦点距離ｆ１が短くなりすぎてしまい像面彎曲、色収差のズーミングに伴う変動の補正が困難となる。以上のようにズーミングに際しての第１、第２レンズ群Ｌ１、Ｌ２の移動量と焦点距離の比を適切に規定している。これにより、広画角で高ズーム比のズームレンズにおいてズーム全域で良好な光学性能を得るとともに望遠端においてレンズ全長を短縮している。尚、各実施例において更に好ましくは条件式（１）、（２）の数値範囲を次の如く設定するのが良い。
【００１９】
１．００＜｜Ｍ２／Ｍ１｜＜３．００  ・・・（１ａ）
（｜（ｆ２×ｆｗ）／（ｆ１×ｆｔ）｜）１／２＜０．１００    ・・・（２ａ）
各実施例では以上の如く構成することにより、広画角かつ高ズーム比でズーム全域にわたり高い光学性能を有したコンパクトなズームレンズを得ることができる。各実施例において、更に好ましくは次の諸条件のうち１以上を満足するのが良い。
【００２０】
第２レンズ群Ｌ２の広角端、望遠端における横倍率を各々β２Ｗ、β２Ｔとする。第３レンズ群Ｌ３の広角端、望遠端における横倍率を各々β３Ｗ、β３Ｔとする。第３レンズ群Ｌ３の焦点距離をｆ３とする。第１レンズ群Ｌ１は、物体側から像側へ順に、像側の面が凹でメニスカス形状の負レンズ、物体側の面が凸形状の３つの正レンズより構成され、３つの正レンズの材料の平均アッベ数をν１ｐとする。このとき、
３．００＜（β２Ｔ／β２Ｗ）／（β３Ｔ／β３Ｗ）＜１２．００  ・・・（３）
１．００＜｜ｆ２／ｆｗ｜＜３．００                            ・・・（４）
０．０５＜ｆ３／ｆｔ＜０．３０                    ・・・（５）
７０＜ν１ｐ                                      ・・・（６）
なる条件式のうち１以上を満足するのが良い。条件式（３）は第２レンズ群Ｌ２と第３レンズ群Ｌ３の変倍分担比を規定する条件式である。高ズーム比のズームレンズの場合、変倍を多くのレンズ群に分割することでズーム全域の諸収差を良好に補正することが容易となる。
【００２１】
条件式（３）の上限を超えると、第２レンズ群Ｌ２の変倍分担が大きくなりすぎ収差補正が困難となる。また条件式（３）の下限を超えると、第３レンズ群Ｌ３の変倍分担が大きくなりすぎ、広角端から望遠端へのズーミング際に第３レンズ群Ｌ３の物体側への移動量が大きくなりすぎて望遠端においてレンズ全長が大きくなってしまうので良くない。条件式（４）は、第２レンズ群Ｌ２の屈折力（焦点距離の逆数）を規定する条件式である。条件式（４）の上限を超えると、第２レンズ群Ｌ２の屈折力が小さくなりすぎ、ズーミングの際の第２レンズ群Ｌ２の移動量が大きくなり望遠端においてレンズ全長が大きくなりすぎるためよくない。一方、下限を超えると、第２レンズ群Ｌ２の屈折力が大きくなりすぎ、ズーミングに伴う色収差や像面湾曲のム変が大きくなり、これらの補正が困難となる。条件式（５）は、第３レンズ群Ｌ３の屈折力を規定する条件式である。条件式（５）の上限を超えると、第３レンズ群Ｌ３の屈折力が小さくなりすぎ、ズーミングに際しての第３レンズ群Ｌ３の移動量が大きくなり望遠端においてレンズ全長が大きくなりすぎるためよくない。一方、下限を超えると、第３レンズ群Ｌ３の屈折力が大きくなりすぎ、諸収差の補正、特に球面収差の補正が困難となる。条件式（６）は第１レンズ群Ｌ１を構成する３枚の正レンズの材料の平均アッベ数を規定する条件式である。条件式（６）の下限を超えて平均アッベ数が小さくなりすぎると分散が大きすぎるため色収差の補正が困難となる。
【００２２】
各実施例において第１レンズ群Ｌ１はそのレンズ構成により、レンズ全系の小型化を実現しつつ、望遠端における色収差の補正を効果的におこなっている。また、各実施例において、第２レンズ群Ｌ２は、物体側から像側へ順に、像側の面が凹形状の負レンズ、物体側の面が凹でメニスカス形状の正レンズ、両凹形状の負レンズ、正レンズから構成するのが良い。そしてこれらの各レンズのうち少なくとも１つの面は非球面形状であることが好ましい。この第２レンズ群Ｌ２のレンズ構成により、レンズ全系の小型化を実現しつつ、像面彎曲の補正を効果的に行っている。各実施例において、より好ましくは、条件式（３）〜（６）を以下の数値範囲とするとよい。
【００２３】
４．００＜（β２Ｔ／β２Ｗ）／（β３Ｔ／β３Ｗ）＜１０．００・・・（３ａ）
１．００＜｜ｆ２／ｆｗ｜＜２．００                           ・・・（４ａ）
０．１０＜ｆ３／ｆｔ＜０．２５                 ・・・（５ａ）
８０＜ν１ｐ                                   ・・・（６ａ）
実施例２乃至４において後続レンズ群Ｌｒは負の屈折力の第４レンズ群Ｌ４と正の屈折力の第５レンズ群Ｌ５より成る。また実施例５において後続レンズ群Ｌｒは正の屈折力の第４レンズ群Ｌ４と正の屈折力の第５レンズ群Ｌ５より成る。ここで第４、第５レンズ群Ｌ４、Ｌ５の焦点距離をｆ４、ｆ５とするとき、次の条件式のうち１以上を満足するのが良い。
【００２４】
１．００＜｜ｆ４/ｆ３｜＜１０．００            ・・・（７）
０．１０＜ｆ５/ｆｔ＜０．７０           ・・・（８）
条件式（７）は第３レンズ群Ｌ３と第４レンズ群Ｌ４の屈折力比を適切に規定したものである。条件式（７）の上限を超えると、第４レンズ群Ｌ４から射出する光束が収斂光になりやすく第５レンズ群Ｌ５でフォーカスするときのフォーカス敏感度が低下する。この結果、フォーカスの際の移動ストローク量が増大するためレンズ全長が大きくなっていまいよくない。一方、下限を超えると第４レンズ群Ｌ４の屈折力が強くなりすぎ像面彎曲の補正が困難となる。条件式（８）は、第５レンズ群Ｌ５の屈折力を規定する条件式である。条件式（８）の上限を超えると、第５レンズ群Ｌ５でフォーカスするときのフォーカス敏感度が低下し、フォーカスの際の移動ストローク量が増大するためレンズ全長が大きくなっていまいよくない。一方、下限を超えると第５レンズ群Ｌ５の屈折力が強くなりすぎ像面彎曲の補正が困難となる。また各実施例において、より好ましくは、条件式（７）、（８）を以下の数値範囲とするとよい。
【００２５】
２．００＜｜ｆ４／ｆ３｜＜９．００             ・・・（７ａ）
０．２０＜ｆ５／ｆｔ＜０．５０   ・・・（８ａ）
さらに好ましくは、条件式（７ａ）、（８ａ）を以下の数値範囲とするとよい。
【００２６】
２．００＜｜ｆ４／ｆ３｜＜５．００             ・・・（７ｂ）
０．２０＜ｆ５／ｆｔ＜０．４０   ・・・（８ｂ）
各実施例のレンズ構成について説明する。以下、各レンズ群のレンズ構成は、物体側から像側の順とする。
【００２７】
［実施例１］
第１レンズ群Ｌ１は、像側の面が凹でメニスカス形状の負レンズと物体側の面が凸でメニスカス形状の正レンズとを接合した接合レンズ、物体側の面が凸でメニスカス形状正のレンズ、物体側の面が凸でメニスカス形状正のレンズで構成している。このレンズ構成により、レンズ全系の小型化を実現しつつ、望遠端における色収差の補正を効果的におこなっている。第２レンズ群Ｌ２は、像側の面が凹で非球面形状の負レンズ、物体側の面が凹形状の負レンズ、両凸形状の正レンズ、物体側の面が凹形状の負レンズで構成している。開口絞りＳＰは、ズーミングに際し、各レンズ群とは独立に移動している。第３レンズ群Ｌ３は、物体側の面が非球面形状の正レンズ、像側の面が凹形状の負レンズ、負レンズと正レンズとを接合した接合レンズで構成している。第４レンズ群Ｌ４は、物体側の面が非球面形状の正レンズと負レンズとを接合した接合レンズで構成している。
【００２８】
［実施例２］
第１レンズ群Ｌ１は、図１の実施例１と同じである。第２レンズ群Ｌ２は、像側の面が凹で非球面形状の負レンズ、物体側の面が凹形状の正レンズと両凹面形状の負レンズとを接合した接合レンズ、正レンズで構成している。開口絞りＳＰは、ズーミングに際して各レンズ群とは独立に移動している。第３レンズ群Ｌ３は、図１の実施例１と同じである。第４レンズ群Ｌ４は、両凹形状の負レンズ、正レンズ、正レンズと負レンズとを接合した接合レンズで構成している。第５レンズ群Ｌ５は、物体側の面が非球面形状の正レンズ、正レンズと負レンズとを接合した接合レンズで構成している。
【００２９】
［実施例３］
第１レンズ群Ｌ１は図１の実施例１と同じである。第２レンズ群Ｌ２と第３レンズ群Ｌ３は図３の実施例２と同じである。第４レンズ群Ｌ４は像側の面が凹でメニスカス形状の１枚の負レンズで構成している。第５レンズ群Ｌ５は物体側の面が非球面形状の正レンズと負レンズとを接合した接合レンズより構成している。
【００３０】
［実施例４］
各レンズ群のレンズ構成は、図３の実施例２と同じである。実施例２と比較して、ズーム比が高い点が異なる。
【００３１】
［実施例５］
第１レンズ群Ｌ１は、図１の実施例１と同じである。第２レンズ群Ｌ２は、図３の実施例２と同じである。第３レンズ群Ｌ３は、図１の実施例１と同じである。第４レンズ群Ｌ４は、両凹面形状の負レンズ、負レンズ、負レンズと正レンズとを接合した接合レンズで構成している。第５レンズ群Ｌ５は、図３の実施例２と同じである。以上、本発明の好ましい実施形態について説明したが、本発明はこれらの実施形態に限定されず、その要旨の範囲内で種々の変形及び変更が可能である。
【００３２】
以下、実施例１〜５に対応する数値実施例１〜５の具体的数値データを示す。各数値実施例において、ｉは物体側から数えた面の番号を示す。ｒｉは第ｉ番目の光学面（第ｉ面）の曲率半径である。ｄｉは第ｉ面と第（ｉ＋１）面との軸上間隔である。ｎｄｉ、νｄｉはそれぞれｄ線に対する第ｉ番目の光学部材の材料の屈折率、アッベ数である。ｆは焦点距離、ＦｎｏはＦナンバー、ωは半画角である。間隔ｄが０とは前後の面が接合されていることを示す。また、非球面形状はＲを曲率半径とし、非球面係数Ｋ、Ａ３，Ａ４、Ａ５，Ａ６、Ａ７，Ａ８、Ａ９、Ａ１０、Ａ１１，Ａ１２を用いて次式で与えられるものとする。
【００３３】
Ｘ=（Ｈ２／Ｒ）／［１＋｛１−（１＋Ｋ）（Ｈ／Ｒ）２｝１／２］＋Ａ３・Ｈ３＋Ａ４・Ｈ４＋Ａ５・Ｈ５＋Ａ６・Ｈ６＋Ａ７・Ｈ７＋Ａ８・Ｈ８＋Ａ９・Ｈ９＋Ａ１０・Ｈ１０＋Ａ１１・Ｈ１１＋Ａ１２・Ｈ１２
なお、各非球面係数における「Ｅ±ＸＸ」は「×１０±ＸＸ」を意味している。また、前述の各条件式と数値実施例との関係を（表１）に示す。焦点距離、Ｆナンバー、画角はそれぞれ無限遠物体に焦点を合わせたときの値を表している。ＢＦは最終面（ガラスブロック面）から像面までの距離である。レンズ全長は第１レンズ面から像面までの（ガラスブロックの厚さをそのまま加えた）距離である。最後の２つの面は、フィルター等のガラスブロックである。
【００３４】
（数値実施例１）
単位 mm
面データ
面番号       r        d      nd         νd       有効径
1         61.784    1.70   2.00330    28.3       46.66
2         41.204    5.11   1.49700    81.5       43.95
3         96.040    0.10                         43.38
4         69.730    3.15   1.43387    95.1       42.76
5        189.387    0.10                         42.40
6         51.650    4.43   1.72916    54.7       41.19
7        249.664  (可変)                         40.62
8       -292.672    1.00   1.88300    40.8       24.02
9*        11.360    6.50                         18.39
10*       -27.295    0.80   1.83400    37.2       18.22
11        700.903    0.11                         18.66
12         36.650    2.72   1.94595    18.0       19.11
13       -111.573    0.70                         19.01
14        -48.737    0.80   1.88300    40.8       19.00
15        -54.372  (可変)                         19.00
16(絞り)    ∞     (可変)                         14.30
17*        13.226    4.00   1.74100    52.6       17.54
18        124.987    0.86                         16.94
19*        20.603    0.86   1.75520    27.5       15.41
20         12.387    3.10                         14.43
21         26.780    0.72   1.83400    37.2       14.65
22         10.533    3.70   1.49700    81.5       14.19
23       -172.392  (可変)                         14.32
24*        27.026    3.30   1.69680    55.5       17.87
25        -41.388    1.00   1.64769    33.8       17.78
26        227.428  (可変)                         17.41
27          ∞       2.46   1.51633    64.1       25.00
28          ∞                                    25.00
像面        ∞   
非球面データ
第9面
K =-2.02330e-001  A 4=-3.27761e-005  A 6=-1.73684e-007  A 8=-3.01749e-009  A10= 2.93287e-010  A12=-2.16374e-012  
A 3= 2.56286e-005  A 5= 2.42283e-006  A 7=-6.28855e-008  A 9=-2.72191e-010  A11=-1.96319e-012  
第10面
K =-9.40387e-001  A 4=-4.16204e-006  A 6=-2.04117e-007  A 8= 4.30139e-009  A10=-4.32552e-011  A12= 1.90035e-014  
A 3=-1.19001e-005  A 5=-1.42665e-006  A 7=-1.93479e-008  A 9= 8.46186e-010  A11=-7.74305e-012  
第17面
K =-5.30481e-001  A 4= 8.55216e-006  A 6= 8.03290e-009  A 8= 5.06159e-010  A10= 3.98319e-012  A12=-1.20070e-014  
A 3=-1.13810e-005  A 5= 1.95274e-006  A 7=-2.65021e-008  A 9= 2.22806e-010  A11=-2.28290e-013  
第19面
K =-1.24137e+000  A 4=-1.79087e-005  A 6=-2.82094e-008  A 8=-2.03466e-010  A10=-1.40180e-011  A12=-7.89098e-014  
A 3= 1.54802e-005  A 5=-2.37173e-007  A 7=-1.89851e-008  A 9= 1.78436e-010  A11=-1.30859e-012  
第24面
K =-1.92754e+000  A 4= 5.02869e-006  A 6=-1.81098e-007  A 8= 1.65543e-009  A10=-3.15801e-013  A12=-2.56726e-014  
A 3= 1.90489e-006  A 5= 2.39479e-006  A 7=-4.08024e-009  A 9=-1.20661e-010  A11= 6.58939e-013  
各種データ
ズーム比     19.35 
広角     中間     望遠
ｆ             7.23    48.39   139.96  
Fno            1.83     3.60     4.00  
ω            41.10     7.48     2.60  
レンズ全長   121.51   138.36   142.42  
BF             1.30     1.30     1.30  
d 7            2.11    37.02    47.09  
d15           39.56     5.46     1.32  
d16           11.26     9.07     2.64  
d23           10.60    23.43    38.71  
d26            9.47    14.87     4.15  
入射瞳位置    28.12   166.79   330.30  
射出瞳位置  -206.49   1055.74   224.27  
前側主点位置  35.10   217.41   558.12  
後側主点位置  -5.94   -47.09  -138.66  
ズームレンズ群データ
群  始面    焦点距離  レンズ構成長  前側主点位置  後側主点位置
1    1      72.37        14.59         3.46         -5.91
2    8     -13.12        12.63        -0.02        -10.71
絞り16       ∞           0.00         0.00         -0.00
3   17      28.62        13.24        -3.01        -11.98
4   24      41.24         4.30        -0.20         -2.74
単レンズデータ
レンズ  始面  焦点距離
1       1   -128.61
2       2    140.84
3       4    252.37
4       6     88.48
5       8    -12.37
6      10    -31.49
7      12     29.43
8      14   -570.51
9      17     19.66
10      19    -43.07
11      21    -21.24
12      22     20.11
13      24     23.94
14      25    -53.98
15      27      0.00
【００３５】
（数値実施例２）
単位 mm
面データ
面番号       r        d      nd         νd       有効径
1         79.662    1.70   2.00330    28.3       50.00
2         55.397    5.80   1.43875    95.0       47.76
3        582.889    0.10                         47.59
4         78.104    3.10   1.43875    95.0       46.86
5        206.725    0.10                         46.57
6         51.396    4.80   1.59240    68.3       45.02
7        208.025  (可変)                         44.54
8        478.061    0.85   2.00330    28.3       24.05
9*        13.400    6.55                         18.85
10        -25.196    2.12   1.92286    18.9       18.32
11        -15.953    0.65   1.74100    52.6       18.44
12         36.734    1.13                         18.40
13         32.976    2.65   1.84666    23.9       18.92
14       -142.740  (可変)                         18.85
15(絞り)    ∞     (可変)                         15.41
16*        15.380    4.70   1.83481    42.7       19.76
17        132.012    2.03                         18.92
18*        30.608    1.00   2.00069    25.5       16.58
19         12.195    2.09                         14.90
20         16.700    0.80   1.83400    37.2       15.00
21         12.814    4.40   1.49700    81.5       14.49
22        -42.932  (可変)                         14.16
23        -29.633    1.00   1.49700    81.5       13.64
24         23.636    0.89                         13.21
25*        83.545    1.40   1.94595    18.0       13.22
26        151.091    0.81                         13.31
27         38.964    3.33   1.49700    81.5       14.01
28        -19.042    0.00                         14.30
29        -19.042    0.60   1.83400    37.2       14.30
30        -31.119  (可変)                         14.67
31*        31.116    1.70   1.48749    70.2       17.85
32         64.686    0.77                         17.78
33         47.335    3.95   1.49700    81.5       17.80
34        -20.349    0.00                         17.68
35        -20.349    0.65   1.83400    37.2       17.68
36        -43.932  (可変)                         17.83
37          ∞       2.46   1.51633    64.1       25.00
38          ∞                                    25.00
像面        ∞   
非球面データ
第9面
K = 3.78236e-001  A 4=-2.36521e-005  A 6=-6.47622e-007  A 8= 9.24057e-010  A10= 1.17099e-010  A12=-9.64378e-013  
A 3=-4.84718e-006  A 5= 3.27503e-007  A 7= 1.00080e-007  A 9=-2.06991e-009  A11= 1.01586e-011  
第16面
K =-6.11323e-001  A 4= 6.67210e-006  A 6=-9.87431e-008  A 8=-7.63307e-010  A10= 1.03375e-011  A12=-1.74626e-014  
A 3= 3.32407e-006  A 5= 2.23732e-007  A 7= 1.85740e-008  A 9=-1.24005e-010  A11= 1.18671e-014  
第18面
K =-9.30122e+000  A 4= 2.73588e-005  A 6=-2.40327e-007  A 8=-5.43808e-010  A10= 1.97497e-012  A12= 1.55877e-014  
A 3=-1.91273e-006  A 5= 7.26764e-007  A 7= 1.13335e-008  A 9= 1.73854e-010  A11=-9.77429e-013  
第25面
K =-1.26072e+000  A 4= 1.65043e-005  A 6= 8.35351e-008  A 8= 7.49988e-010  A10= 2.90374e-010  A12= 1.49029e-012  
A 3=-8.26527e-006  A 5=-5.64440e-007  A 7=-4.42219e-009  A 9=-8.71323e-010  A11=-3.55982e-011  
第31面
K = 1.01663e+000  A 4=-3.59004e-006  A 6= 4.62769e-009  A 8= 1.34026e-010  A10= 1.25828e-012  A12=-1.60867e-013  
A 3= 1.07705e-005  A 5=-2.39973e-007  A 7= 9.70039e-009  A 9=-1.80292e-010  A11= 2.51508e-012  
各種データ
ズーム比     19.37 
広角     中間     望遠
f              7.28    47.86   141.00  
Fno            1.85     3.60     4.00  
ω            42.00     7.58     2.58  
レンズ全長   135.28   150.32   153.05  
BF             1.69     1.69     1.69  
d 7            0.98    35.90    49.30  
d14           37.71     6.11     1.98  
d15           14.60     6.87     1.95  
d22            1.27     5.68     1.33  
d30            5.04     8.39    20.75  
d36           11.86    23.55    13.92  
入射瞳位置    26.76   160.62   435.34  
射出瞳位置   526.49  -359.29  -568.68  
前側主点位置  34.15   202.14   541.49  
後側主点位置  -5.59   -46.17  -139.31  
ズームレンズ群データ
群  始面    焦点距離  レンズ構成長  前側主点位置  後側主点位置
1    1      72.85        15.60         4.05         -6.30
2    8     -11.97        13.95         0.41        -11.41
絞り15       ∞           0.00         0.00         -0.00
3   16      26.32        15.02         0.64        -11.00
4   23    -120.54         8.03       -10.42        -17.55
5   31      48.23         7.07         1.43         -3.58
単レンズデータ
レンズ  始面  焦点距離
1       1   -187.86
2       2    139.05
3       4    284.02
4       6    113.93
5       8    -13.75
6      10     42.45
7      11    -14.93
8      13     31.86
9      16     20.48
10      18    -20.82
11      20    -72.84
12      21     20.39
13      23    -26.29
14      25    195.59
15      27     26.24
16      29    -60.20
17      31    120.99
18      33     29.20
19      35    -46.03
20      37      0.00
【００３６】
（数値実施例３）
単位 mm
面データ
面番号       r        d      nd         νd       有効径
1        114.411    1.70   2.00330    28.3       49.86
2         60.567    5.80   1.43875    95.0       46.43
3       1064.594    0.10                         45.72
4         70.852    4.30   1.43875    95.0       44.95
5        678.817    0.10                         44.61
6         54.512    5.00   1.74320    49.3       42.72
7        205.205  (可変)                         41.67
8       1601.856    0.85   2.00330    28.3       22.32
9*        14.612    5.51                         18.09
10*       -28.455    4.00   1.84666    23.9       17.62
11        -11.850    0.70   1.77250    49.6       17.69
12         59.483    0.10                         17.47
13         31.287    2.37   1.84666    23.9       17.58
14        224.435  (可変)                         17.34
15(絞り)    ∞     (可変)                         16.48
16*        17.766    4.00   1.80610    33.3       19.46
17        147.491    1.96                         18.95
18*        23.764    0.80   1.84666    23.9       17.46
19         13.218    1.91                         16.27
20         22.152    0.70   1.84666    23.9       16.23
21         13.513    4.40   1.48749    70.2       15.59
22        -43.657  (可変)                         15.40
23        183.785    0.90   1.83400    37.2       14.14
24         47.620  (可変)                         13.81
25*        22.638    4.30   1.49700    81.5       18.35
26        -34.876    1.00   1.65412    39.7       18.26
27        -63.439  (可変)                         18.24
28          ∞       2.46   1.51633    64.1       25.00
29          ∞                                    25.00
像面        ∞   
非球面データ
第9面
K = 4.50307e-001  A 4=-1.14719e-005  A 6=-1.43361e-006  A 8= 5.54045e-009  A10=-1.32641e-011  A12= 6.11510e-013  
A 3=-3.84627e-005  A 5= 4.81817e-006  A 7= 1.16318e-007  A 9=-9.72389e-010  A11=-3.88967e-012  
第10面
K = 3.17352e+000  A 4= 2.64577e-005  A 6= 1.22019e-007  A 8=-4.06487e-009  A10= 9.42193e-011  A12=-1.17185e-013  
A 3=-3.18296e-005  A 5=-1.31096e-006  A 7= 1.37255e-008  A 9=-4.18460e-010  A11=-1.75071e-012  
第16面
K =-5.07238e-001  A 4=-1.04148e-005  A 6=-2.32836e-008  A 8=-5.43076e-010  A10= 1.38976e-011  A12=-2.42736e-014  
A 3=-9.69139e-006  A 5=-1.04685e-006  A 7= 3.78237e-009  A 9=-1.15529e-010  A11=-3.18882e-014  
第18面
K =-1.66869e+000  A 4= 3.33240e-005  A 6=-5.71344e-008  A 8= 2.65590e-009  A10=-2.77218e-011  A12= 1.50613e-013  
A 3= 7.45837e-006  A 5= 1.69503e-006  A 7= 8.02602e-009  A 9= 3.58947e-011  A11=-6.10015e-013  
第25面
K =-8.68628e-001  A 4= 5.07244e-006  A 6= 2.29401e-008  A 8=-1.46346e-009  A10=-2.09737e-011  A12= 1.06517e-013  
A 3=-2.16899e-005  A 5=-2.42519e-007  A 7=-3.22635e-009  A 9= 4.02634e-010  A11=-1.32948e-012  
各種データ
ズーム比     18.02 
広角     中間     望遠
f              8.00    46.88   144.20  
Fno            1.85     3.60     4.00  
ω            39.30     7.71     2.52  
レンズ全長   133.02   145.67   145.84  
BF             1.14     1.14     1.14  
d 7            1.80    34.01    46.60  
d14           40.51     7.68     1.88  
d15            9.21     6.68     1.88  
d22            2.10     5.25     3.26  
d24           10.76    12.32    24.02  
d27           14.55    25.63    14.10  
入射瞳位置    29.27   154.91   395.56  
射出瞳位置  -276.42  -311.15   770.37  
前側主点位置  37.04   194.75   566.79  
後側主点位置  -6.86   -45.74  -143.06  
ズームレンズ群データ
群  始面    焦点距離  レンズ構成長  前側主点位置  後側主点位置
1    1      68.42        17.00         5.98         -5.01
2    8     -12.21        13.53         0.77         -9.25
絞り15       ∞           0.00         0.00         -0.00
3   16      28.08        13.77         0.84         -9.78
4   23     -77.30         0.90         0.66          0.17
5   25      36.65         5.30         0.84         -2.70
単レンズデータ
レンズ  始面  焦点距離
1       1   -130.33
2       2    146.11
3       4    179.92
4       6     98.49
5       8    -14.70
6      10     21.60
7      11    -12.74
8      13     42.70
9      16     24.72
10      18    -36.45
11      20    -42.51
12      21     21.72
13      23    -77.30
14      25     28.32
15      26   -120.08
16      28      0.00
【００３７】
（数値実施例４）
単位 mm
面データ
面番号       r        d      nd         νd       有効径
1         92.969    1.70   2.00330    28.3       52.08
2         59.800    5.95   1.43875    95.0       48.62
3       1929.778    0.10                         47.52
4         78.700    3.10   1.43875    95.0       46.13
5        282.171    0.10                         45.94
6         49.144    4.95   1.59240    68.3       44.21
7        188.681  (可変)                         43.63
8        747.697    0.85   1.88300    40.8       24.95
9*        12.330    7.09                         18.80
10        -23.196    2.20   1.86148    25.7       18.24
11        -14.265    0.65   1.74100    52.6       18.33
12         48.235    0.87                         18.41
13         35.878    2.65   1.86148    25.7       18.81
14       -180.146  (可変)                         18.71
15(絞り)    ∞     (可変)                         15.53
16*        15.341    4.50   1.81600    46.6       20.58
17         68.247    2.56                         19.77
18*        30.516    1.00   2.00330    28.3       17.24
19         12.334    1.65                         15.52
20         16.120    0.80   1.80518    25.4       15.73
21         14.257    4.50   1.49700    81.5       15.36
22        -46.529  (可変)                         15.05
23        -32.846    0.80   1.49700    81.5       14.30
24         22.339    0.80                         14.00
25*        64.931    1.10   1.94595    18.0       16.20
26        123.629    0.73                         14.00
27         42.256    3.30   1.49700    81.5       14.85
28        -17.288    0.60   1.83400    37.2       15.08
29        -29.580  (可変)                         15.57
30*        25.967    1.60   1.48749    70.2       19.03
31         40.726    1.50                         18.92
32         58.176    3.60   1.49700    81.5       19.00
33        -20.415    0.65   1.83400    37.2       18.97
34        -35.332  (可変)                         19.19
35          ∞       2.46   1.51633    64.1       25.00
36          ∞                                    25.00
像面        ∞   
非球面データ
第9面
K = 1.58596e-001  A 4=-1.52844e-005  A 6=-4.34671e-007  A 8=-3.26381e-009  A10= 1.34387e-010  A12=-1.07687e-012  
A 3=-5.03340e-006  A 5=-1.52001e-006  A 7= 1.28093e-007  A 9=-2.15316e-009  A11= 1.19646e-011  
第16面
K =-5.88182e-001  A 4= 1.15453e-005  A 6=-9.22663e-008  A 8=-2.97068e-010  A10= 9.73227e-012  A12=-1.49298e-014  
A 3= 3.62048e-006  A 5= 6.89563e-007  A 7= 1.51516e-008  A 9=-1.04719e-010  A11=-1.02623e-014  
第18面
K =-9.71005e+000  A 4= 2.26524e-005  A 6=-3.82726e-007  A 8=-4.14006e-009  A10= 9.25422e-012  A12= 4.20947e-014  
A 3=-1.90717e-006  A 5= 3.29802e-007  A 7= 4.33775e-008  A 9= 1.92989e-010  A11=-1.29387e-012  
第25面
K = 9.64869e+000  A 4= 1.23604e-005  A 6= 1.06388e-007  A 8= 2.13424e-009  A10= 2.03516e-010  A12= 3.60290e-013  
A 3=-7.96478e-006  A 5=-1.02589e-006  A 7= 1.45572e-009  A 9=-1.16599e-009  A11=-1.49025e-011  
第30面
K =-3.43086e-001  A 4=-3.97247e-006  A 6= 3.42025e-008  A 8= 2.28673e-009  A10=-1.00956e-011  A12= 8.08762e-014  
A 3= 1.75381e-005  A 5= 4.84244e-007  A 7=-1.74013e-008  A 9= 5.68158e-012  A11=-7.54153e-013  
各種データ
ズーム比     24.97 
広角     中間     望遠
f              7.28    42.18   181.80  
Fno            1.87     3.60     4.00  
ω            41.90     8.58     2.01  
レンズ全長   140.39   152.98   157.19  
BF             2.02     2.02     2.02  
d 7            0.96    32.79    49.28  
d14           37.63     6.06     1.87  
d15           16.62     8.84     1.85  
d22            1.38     8.91     3.59  
d29            7.06     7.46    28.31  
d34           12.36    24.55     7.92  
入射瞳位置    27.11   137.47   482.71  
射出瞳位置   171.92   2335.11   279.52  
前側主点位置  34.70   180.41   783.61  
後側主点位置  -5.26   -40.15  -179.77  
ズームレンズ群データ
群  始面    焦点距離  レンズ構成長  前側主点位置  後側主点位置
1    1      71.40        15.90         4.62         -5.90
2    8     -11.72        14.31         0.80        -11.06
絞り15       ∞           0.00         0.00         -0.00
3   16      27.95        15.01         0.54        -11.11
4   23    -128.05         7.33        -9.70        -16.05
5   30      45.57         7.35         2.44         -3.08
単レンズデータ
レンズ  始面  焦点距離
1       1   -171.46
2       2    140.52
3       4    247.60
4       6    110.71
5       8    -14.21
6      10     38.61
7      11    -14.79
8      13     34.93
9      16     23.36
10      18    -21.22
11      20   -189.51
12      21     22.51
13      23    -26.62
14      25    143.27
15      27     25.15
16      28    -51.02
17      30    141.94
18      32     30.88
19      33    -59.15
20      35      0.00
【００３８】
（数値実施例５）
単位 mm
面データ
面番号       r        d      nd         νd       有効径
1         83.562    1.70   2.00330    28.3       51.68
2         56.398    6.20   1.43875    95.0       48.61
3        394.511    0.10                         47.23
4         88.215    3.10   1.43875    95.0       45.73
5        334.269    0.10                         45.36
6         53.160    4.60   1.59240    68.3       43.20
7        260.787  (可変)                         42.62
8       4745.268    0.85   1.88300    40.8       25.95
9*        14.107    7.09                         20.30
10        -33.494    3.00   1.86148    25.7       19.74
11        -15.886    0.65   1.74100    52.6       19.81
12         45.602    0.87                         19.61
13         32.484    2.65   1.86148    25.7       19.98
14        176.422  (可変)                         19.76
15(絞り)    ∞     (可変)                         15.94
16*        14.929    4.50   1.81600    46.6       20.13
17         69.520    2.95                         19.30
18*        30.638    1.00   2.00330    28.3       16.52
19         11.991    1.96                         14.86
20         16.897    0.80   1.80809    22.8       15.07
21         14.775    4.50   1.49700    81.5       14.74
22        -64.881  (可変)                         14.36
23        -36.839    0.80   1.49700    81.5       14.30
24         51.149    0.80                         14.00
25*       138.113    1.10   1.94595    18.0       16.20
26         75.926    0.73                         14.00
27         54.631    1.00   1.49700    81.5       15.37
28         52.329    2.50   1.81600    46.6       15.61
29        -52.132  (可変)                         15.78
30*        21.501    2.00   1.48749    70.2       16.47
31         45.804    1.50                         16.24
32        -87.396    3.60   1.49700    81.5       16.19
33        -19.375    0.65   1.83400    37.2       16.12
34        -34.000  (可変)                         16.33
35          ∞       2.46   1.51633    64.1       25.00
36          ∞                                    25.00
像面        ∞   
非球面データ
第9面
K = 3.85868e-001  A 4=-1.19955e-005  A 6=-3.85955e-007  A 8=-3.54880e-009  A10= 1.24378e-010  A12=-1.01844e-012  
A 3=-1.16222e-005  A 5=-1.54256e-006  A 7= 1.20701e-007  A 9=-2.02162e-009  A11= 1.19748e-011  
第16面
K =-5.92251e-001  A 4= 1.02794e-005  A 6=-7.96373e-008  A 8=-5.94394e-010  A10= 1.36279e-011  A12=-3.71603e-014  
A 3= 5.74452e-006  A 5= 5.33288e-007  A 7= 1.59397e-008  A 9=-1.25889e-010  A11= 1.19434e-013  
第18面
K =-1.18494e+001  A 4= 3.38818e-005  A 6=-6.01722e-007  A 8= 2.86983e-009  A10= 6.80677e-012  A12= 2.00545e-013  
A 3=-4.48209e-006  A 5= 1.09558e-006  A 7= 3.19549e-008  A 9=-3.09651e-010  A11=-2.00738e-012  
第25面
K = 2.34648e+001  A 4= 1.02882e-005  A 6= 7.81557e-008  A 8= 2.01591e-009  A10= 1.40354e-010  A12=-7.03481e-013  
A 3=-1.14827e-005  A 5=-1.86495e-006  A 7= 3.17929e-008  A 9=-1.75337e-009  A11= 5.68438e-012  
第30面
K =-9.22698e-001  A 4= 3.15687e-006  A 6= 3.38340e-007  A 8=-2.76705e-009  A10= 8.25106e-012  A12=-2.40803e-013  
A 3= 1.65294e-005  A 5=-9.80708e-008  A 7=-3.12862e-008  A 9= 3.41496e-010  A11= 1.44036e-012  
各種データ
ズーム比     18.08 
広角     中間     望遠
f              8.01    46.79   144.84  
Fno            1.85     3.60     4.00  
ω            39.10     7.75     2.52  
レンズ全長   136.44   152.87   154.65  
BF             1.08     1.08     1.08  
d 7            1.02    36.11    49.45  
d14           38.88     6.10     1.93  
d15           13.54    10.01     1.90  
d22            1.24     2.45     1.39  
d29            5.07    13.17    28.32  
d34           11.85    20.19     6.81  
入射瞳位置    28.70   156.78   383.39  
射出瞳位置  -519.29  -344.75  -234.16  
前側主点位置  36.59   197.24   439.05  
後側主点位置  -6.94   -45.71  -143.76  
ズームレンズ群データ
群  始面    焦点距離  レンズ構成長  前側主点位置  後側主点位置
1    1      75.19        15.80         4.74         -5.79
2    8     -13.01        15.11         1.06        -10.81
絞り15       ∞           0.00         0.00         -0.00
3   16      30.29        15.71        -0.90        -12.89
4   23     250.00         6.93        24.35         21.82
5   30      73.03         7.75         1.26         -4.56
単レンズデータ
レンズ  始面  焦点距離
1       1   -178.51
2       2    149.15
3       4    272.10
4       6    111.79
5       8    -16.02
6      10     32.51
7      11    -15.83
8      13     45.83
9      16     22.47
10      18    -20.18
11      20   -175.07
12      21     24.68
13      23    -42.96
14      25   -179.81
15      27   -2920.06
16      28     32.35
17      30     80.95
18      32     49.22
19      33    -55.12
20      35      0.00
【００３９】
【表１】
0005436100.tif 000002
【００４０】
次に、各実施例に示したようなズームレンズを撮影光学系として用いた、デジタルカメラの実施形態を図１１を用いて説明する。図１１において、２０はカメラ本体、２１は本発明のズームレンズによって構成された撮像光学系である。２２は撮像光学系２１によって形成された被写体像を受光するＣＣＤなどの撮像素子である。２３は撮像素子２２が受光した被写体像を記録する記録手段、２４は不図示の表示素子に表示された被写体像を観察するためのファインダーである。上記表示素子は液晶パネルなどによって構成され、撮像素子２２上に形成された被写体像が表示される。このように本発明のズームレンズをビデオカメラなどの撮像装置に適用することにより、高い光学性能を有する撮像装置を実現している。
【符号の説明】
【００４１】
Ｌ１は第１レンズ群、Ｌ２は第２レンズ群、Ｌ３は第３レンズ群、Ｌ４は第４レンズ群、Ｌ５は第５レンズ群、Ｌｒは後群、ｄはｄ線、ｇはｇ線、ΔＭはメリディオナル像面、ΔＳはサジタル像面、ＳＰは絞り、ＦＰはフレアーカット絞り、ＧはＣＣＤのフォースプレートやローパスフィルター等のガラスブロック、ωは半画角、ｆｎｏはＦナンバー
【図２】
0005436100.tif 000003
【図３】
0005436100.tif 000004
【図１】
0005436100.tif 000005
【図４】
0005436100.tif 000006
【図５】
0005436100.tif 000007
【図６】
0005436100.tif 000008
【図７】
0005436100.tif 000009
【図８】
0005436100.tif 000010
【図９】
0005436100.tif 000011
【図１０】
0005436100.tif 000012
【図１１】
0005436100.tif 000013